(57)【要約】【課題】  多層記録媒体における他の情報記録層からの反射光が、フォーカスエラー信号やトラックエラー信号を得るための光束を受光する受光手段に対してもノイズとして作用しないようにする。【解決手段】  情報記録層８ａ、８ｂを多層状に有する多層記録媒体８に対して、情報の記録・再生・消去の１以上を行う光ピックアップ装置において、光源１からの光束を集光レンズ１２により所定の集光位置に集光させ、集光位置に位置させたピンホール１３Ａを通過した光束を対物レンズ７により記録媒体８の所望の情報記録層に集光せしめ、所望の情報記録層により反射された戻り光束をピンホール近傍に集光させ、ピンホールを通過した戻り光束を回折手段４により受光手段９に向けて回折させる。【選択図】                  図１
2006073132.tif 000002
【特許請求の範囲】
【請求項１】
情報記録層を多層状に有する多層記録媒体に対して、情報の記録・再生・消去の１以上を行う光ピックアップ装置において、
光源と、
この光源からの光束を所定の集光位置に集光させる集光レンズと、
ピンホールを形成され、上記ピンホールを上記集光位置の近傍に位置させて配置される遮光手段と、
上記ピンホールを通過した光束を、対物レンズにより多層記録媒体の所望の情報記録層に集光せしめる集光光学系と、
上記所望の情報記録層により反射された戻り光束を受光する受光手段と、
上記集光光学系を通過し、上記ピンホールの近傍に集光して上記ピンホールを通過した戻り光束を、上記受光手段に向けて回折させる回折手段とを有し、
上記回折手段が、上記光源から上記ピンホールに至る光路上に配置されたことを特徴とする光ピックアップ装置。
【請求項２】
請求項１記載の光ピックアップ装置において、
回折手段が、光源と集光レンズとの間の光路上に配置されたことを特徴とする光ピックアップ装置。
【請求項３】
請求項１記載の光ピックアップ装置において、
回折手段が、集光レンズと遮光手段との間の光路上に配置されたことを特徴とする光ピックアップ装置。
【請求項４】
請求項１または２または３記載の光ピックアップ装置において、
回折手段が集光レンズと一体化されていることを特徴とする光ピックアップ装置。
【請求項５】
請求項１〜４の任意の１に光ピックアップ装置において、
回折手段がホログラム素子であることを特徴とする光ピックアップ装置。
【請求項６】
請求項５記載の光ピックアップ装置において、
光源と集光レンズと回折手段と遮光手段と受光手段とが一体化されていることを特徴とする光ピックアップ装置。
【請求項７】
請求項６記載の光ピックアップ装置において、
光源と集光レンズと回折手段と遮光手段と受光手段とが１パッケージとして一体化されていることを特徴とする光ピックアップ装置。
【請求項８】
請求項１〜７の任意の１に記載の光ピックアップ装置に用いられる光源側ユニットであって、
光源と集光レンズと回折手段と遮光手段と受光手段とを一体化してなることを特徴とする光源側ユニット。
【請求項９】
請求項８記載の光源側ユニットにおいて、
光源と集光レンズと回折手段と遮光手段と受光手段とが１パッケージとして一体化されていることを特徴とする光源側ユニット。
【請求項１０】
請求項１〜７の任意の１に記載の光ピックアップ装置を用い、情報記録層を多層状に有する多層記録媒体に対して、情報の記録・再生・消去の１以上を行う多層記録媒体ドライブ装置。
【発明の詳細な説明】
【技術分野】
【０００１】
この発明は、光ピックアップ装置・光源側ユニットおよび多層記録媒体ドライブ装置に関する。
【背景技術】
【０００２】
ＣＤやＤＶＤ等の記録媒体において、情報の記録容量を増大させるため、情報記録層を多層に形成した多層記録媒体の実用化が意図されている。  
多層記録媒体は多層状に形成した情報記録層に情報を記録できるので、従来の単一記録層の記録媒体に比して数倍の記憶容量が可能となる。多層記録媒体に対して情報の記録や情報の再生を行う場合には、情報を記録すべき情報記録層、あるいは再生させる情報が記録された情報記録層に光ピクアップ装置の光を集光し、上記情報記録層により反射された戻り光束を受光手段により受光してフォーカシング制御やトラッキング制御を行いつつ、情報の書き込みや再生が行われる。
【０００３】
このような情報の記録・再生の際、光ピックアップ装置からの光は「情報を記録あるいは再生させるべき情報記録層」に集光されるが、この情報記録層以外の他の情報記録層にも不可避的に照射され、「他の情報記録層による反射光」は受光手段に入射すると、本来の受光信号に対するノイズ成分を発生させる。
【０００４】
このようなノイズ光をカットする方法として「ピンホールを利用するもの」が知られている（特許文献１）。特許文献１に記載の光ピックアップ装置では、多層記録媒体からの戻り光束が「フォーカスエラー信号やトラックエラー信号を得るための光束」と「情報再生用の光束」とに分割され、「情報再生用の光束」がピンホールを介して受光手段に受光されている。したがって、情報再生用の光束を受光する受光手段に対しては上述の「他の情報記録層による反射光」はカットされ、ノイズの無い再生情報信号が得られる。
【０００５】
しかしながら「フォーカスエラー信号やトラックエラー信号を得るための光束」を受光する受光手段にはなお「他の情報記録層による反射光」が入射し、フォーカスエラー信号やトラックエラー信号には「ノイズが乗る」ことになる。
【０００６】
【特許文献１】特許第２６２４２５５号公報
【発明の開示】
【発明が解決しようとする課題】
【０００７】
この発明は、多層記録媒体における他の情報記録層からの反射光が、フォーカスエラー信号やトラックエラー信号を得るための光束を受光する受光手段に対してもノイズとして作用しないようにすることを課題とする。
【課題を解決するための手段】
【０００８】
この発明の光ピックアップ装置は「情報記録層を多層状に有する多層記録媒体に対して、情報の記録・再生・消去の１以上を行う光ピックアップ装置」である(請求項１)。  
「多層記録媒体」は、一般的な形態としては光ディスクであり、１つの媒体の厚み方向に積層状態で２以上の情報記録層を有する。光ピックアップ装置は、このような多層記録媒体に対して、情報の記録・再生・消去の１以上、即ち、記録・再生・消去の何れか、あるいは記録と再生、記録と消去、再生と消去、あるいは記録と再生と消去とを行う。
【０００９】
請求項１記載の光ピックアップ装置は、光源と、集光レンズと、遮光手段と、集光光学系と、受光手段と、回折手段とを有する。
【００１０】
「光源」は、多層記録媒体に照射する光束を放射するものであり、半導体レーザを好適に用いることができるほか、ＬＥＤ等を用いることもできる。  
「集光レンズ」は、光源からの光束を所定の集光位置に集光させるレンズであり、正の屈折力を持つレンズを適宜に用いることができる。「集光位置が所定の位置である」とは、光源と集光レンズと集光位置の位置関係が固定的であることを意味する。勿論、光源と集光レンズとの位置関係を調整して、集光位置を調整しても良いことは言うまでもない。
【００１１】
「遮光手段」は、ピンホールを形成され、このピンホールを集光位置の近傍に位置させて配置される。換言すれば、光源から放射された光束は、集光レンズにより集束傾向を与えられ、遮光部材のピンホールの近傍に集光することによりピンホールを通過するのである。
【００１２】
「集光光学系」は、ピンホールを通過した光束を、対物レンズにより多層記録媒体の所望の情報記録層に集光せしめる光学系である。集光光学系は「対物レンズ」を有するが、必要に応じて他のレンズ、例えば「ピンホールを通過した光束を平行光束化するコリメートレンズ」を含むこともできる。
【００１３】
「受光手段」は、多層記録媒体の所望の情報記録層により反射された戻り光束を受光する受光手段であり、フォーカスエラー信号やトラックエラー信号、再生信号等は、この受光手段の出力により生成される。
【００１４】
「回折手段」は、集光光学系を通過し、ピンホールの近傍に集光してピンホールを通過した戻り光束を、受光手段に向けて回折させる。そして、回折手段は「光源からピンホールに至る光路上」に配置される。
【００１５】
請求項１記載の光ピックアップ装置は、上記の如き構成となっているので、光源から放射される光束は、集光レンズと回折手段とを介して遮光手段に到達するが、その際、集光レンズの作用により遮光手段のピンホールの近傍に集光する。
【００１６】
ピンホールを通過した光束は「集光光学系」を介して多層記録媒体に導光されるが、集光光学系の対物レンズにより集束されて「所望の情報記録層」位置に集光する。換言すれば、ピンホール位置と情報記録層位置とは「集光光学系に関して共役関係」となる。この情報記録層で反射された光束は「戻り光束」となって、集光光学系を逆進し、集光光学系の作用により、情報記録層に対する共役位置であるピンホールの近傍に集光してピンホールを通過し、回折手段により回折されて受光手段に入射する。
【００１７】
回折手段は、上記の如く「光源とピンホールとの間の光路上」に配置されるが、配置位置は「光源と集光レンズとの間の光路上」でも良いし（請求項２）、「集光レンズと遮光手段との間の光路上」でも良い（請求項３）。
【００１８】
請求項２の場合のように、回折手段が光源と集光レンズとの間に配置される場合は、戻り光束は集光レンズにより集光されつつ回折手段に入射して回折される。請求項３の場合のように、回折手段が遮光手段と集光レンズとの間に配置される場合は、戻り光束は回折手段により回折された後、集光レンズに入射して集光されつつ受光手段に入射する。
【００１９】
回折手段は「回折手段が集光レンズと一体化」されることができる（請求項４）。回折手段と集光レンズの一体化の形態は、例えば接着等によってもよいし、機械的な一体化手段によってもよく、さらには、集光レンズのレンズ面に「回折手段」を形成することにより一体化しても良い。
【００２０】
回折手段としては「ホログラム素子」を好適に用いることができる（請求項５）。この場合、ホログラム素子を「偏光性ホログラム素子」、即ち、特定の偏光方向の光は高透過率で透過させ、この偏光方向に直交する偏光方向の光に対しては高回折効率で回折させるホログラム素子とすることができる。この場合には、偏光性ホログラム素子による回折手段の多層記録媒体側の光路上に１／４波長板を配置することにより、光源からの光束を略１００％多層記録媒体に照射でき、戻り光束を略１００％受光手段に導くことができる。
【００２１】
上記請求項５記載の光ピックアップ装置において「光源と集光レンズと回折手段と遮光手段と受光手段とを一体化」することができ（請求項６）、この場合「光源と集光レンズと回折手段と遮光手段と受光手段とを１パッケージとして一体化」することができる（請求項７）。
【００２２】
この発明の「光源側ユニット」は、上記請求項１〜７の任意の１に記載の光ピックアップ装置に用いられる光源側ユニットであって「光源と集光レンズと回折手段と遮光手段と受光手段とを一体化」してなる（請求項８）。この場合、「光源と集光レンズと回折手段と遮光手段と受光手段とを１パッケージとして一体化」して光源側ユニットとすることができる（請求項９）。
【００２３】
この発明の多層記録媒体ドライブ装置は「請求項１〜７の任意の１に記載の光ピックアップ装置を用い、情報記録層を多層状に有する多層記録媒体に対して、情報の記録・再生・消去の１以上を行う多層記録媒体ドライブ装置」である（請求項１０）。勿論、光ピックアップ装置には、請求項８または９に記載の光源側ユニットを用いることができる。
【００２４】
若干補足すると、ピンホールを有する遮光手段は、例えば「金属薄板等による遮光板にピンホールを穿設したもの」でも良いし、樹脂やガラス、石英等の透明基板の片面に「遮光性金属薄膜を蒸着し、この金属幕にピンホールを形成したもの」でも良い。あるいは、ある閾値以上の強度の光照射により透明化する感光性フィルムを遮光手段とし、遮光手段のあるべき位置に配置したのち光源から光束を放射させ、集光レンズにより感光性フィルム上に集光して「集光部を透明化してピンホール」とすることができる。このようにすると、ピンホールを「光源からの光束の集光位置」に正確に位置させることができる。
【００２５】
なお、後述の実施の形態の場合のように、トラッキング制御を「３ビーム法」で行う場合には、光源と集光光学系との間の光路上に「光源側からの光束を３ビームに分離するグレーティング」を配することができる。
【発明の効果】
【００２６】
以上に説明したように、この発明の光ピックアップ装置では、多層記録媒体の所望の情報記録層からの戻り光束は遮光手段のピンホールを通過するが、他の情報記録層による反射光は遮光手段により遮光される。そして「ピンホールを通過した戻り光束のみ」が、受光手段に受光されて再生信号やフォーカスエラー信号・トラックエラー信号を生成させるので、再生信号のみならずフォーカスエラー信号やトラックエラー信号に対しても「他の情報記録層による反射光がノイズとして作用する」ことがない。また、集光光学系を構成する光学素子での反射光も遮光手段で遮光されるのでノイズとして作用することがない。
【発明を実施するための最良の形態】
【００２７】
以下、発明の実施の形態を説明する。  
図１は光ピックアップ装置の実施の１形態を説明図的に略示する図である。  
光源１は半導体レーザであって発散性の光束を放射する。放射された光束は、ガラス板２の光源側に形成された「３ビーム生成用」のグレーティング３に入射し、３ビーム即ち０次光と±１次光に分離される。なお、図の繁雑を避けるため、図には３ビームのうちの０次光（以下「メインビーム」と言う。）のみが示されている。
【００２８】
分離された３ビームはガラス板２を透過し、ガラス板２の集光レンズ１２側に設けられた「回折手段」としてのホログラム４に入射する。そして、ホログラム４を「０次光として透過した３ビーム成分」のみが照射光となり、集光レンズ１２の作用により遮光手段１３の「ピンホール１３Ａの位置の近傍」に集光する。
【００２９】
集光レンズ１２により集光する３ビームの集光位置は同一位置ではなく「空間的に分離している」が、これら３ビームの集光位置は「互いに近接している」ので、これら３つの集光位置が「ピンホール１３Ａの開口領域内に位置する」ようにできる。即ち、ピンホール１３Ａは「戻り光束に対するノイズ光成分」をカットできれば良いので、ピンホールの大きさは「著しく小さい」必要はなく、上記の如く「３ビームの３つの集光位置をカバーできる大きさ」としても問題はない。
【００３０】
ピンホール１３Ａを通過した３ビーム（メインビーム１０のみを示す）は、コリメートレンズ６によりそれぞれ平行光束とされる。これら平行光束は、対物レンズ７の作用により多層記録媒体８に向かって集光する。多層記録媒体８は「光ディスク形態」であり、図の例では、厚さ方向に数十μｍ（４０〜７０μｍ程度）の間隔で２つの情報記録層８ａ、８ｂを有している。図１は、これら情報記録層８ａ、８ｂのうち情報記録層８ａを「所望の情報記録層」として、この情報記録層８ａに３ビームを集光させた場合を示している。
【００３１】
適正な状態では、３ビームのうちのメインビームが情報記録層８ａのトラック上に集光し、残りの２ビーム（±１次光）は、トラック上で微小距離はなれた位置において上記トラックの縁部に集光する。この集光の際、照射光の一部は不可避的に情報記録層８ｂをも照射してしまう。
【００３２】
情報記録層８ａにより反射された３ビームは「戻り光束」となって対物レンズ７、コリメート６を透過し、３本の集光光束となって遮光手段１３のピンホール１３Ａの開口領域内に集光しピンホール１３Ａを通過する。このとき、他の情報記録層８ｂにより反射された光束（「ノイズ光束」という）１１も対物レンズ７、コリメートレンズ６を介して遮光手段１３へ到達するが、これらのイズ光束は、図に破線で示すように、遮光手段１３よりもコリメートレンズ６側で集光し、発散状態で遮光手段１３に到達するので、その大部分はピンホール１３Ａを通過することができず、遮光手段１３により遮光されてしまう。
【００３３】
ピンホール１３Ａを通過した３ビームの戻り光束は、発散しつつ集光レンズ１２に入射し、集光レンズ１２の作用により集束光束に変換され、さらに回折手段としてのホログラム４により一部が回折される。回折された３ビームは受光手段９に入射する。受光手段９には複数の受光部が形成され、回折された戻り光束はこれらの複数の受光部に分離して入射する。この光束の分離はホログラム４の有する「異なる回折作用」による。
【００３４】
この実施の形態では、トラックエラー信号は周知の「３ビーム法」で生成され、フォーカスエラー信号は周知の「ナイフエッジ法（ナイフエッジはホログラム４の「異なる回折作用の領域の境界線」として設定されている。）」で生成される。再生信号は、各受光部の出力和により生成される。
【００３５】
上述したところを簡単に説明すると、図５（ａ）は、回折手段であるホログラム４を示している。ホログラム４は３種のホログラム領域ＡＢとＣおよびＤを有し、これらの領域は「これらに入射する戻り光束」をそれぞれ異なる所定の方向へ回折させる。  
図５（ａ）に符号１０Ａで示すのは、ホログラム４に入射する戻り光束(３ビーム)のうちのメインビームを示している。戻り光束は３ビームであり、これらがホログラム４により３方向に分離されるから、受光手段９に入射するのは９ビームになる。
【００３６】
図５（ｂ）は、受光手段９における受光部９ａ〜９ｈと、これら受光部に集光する戻り光束の状態を説明図的に示している。  
先ず、戻り光束のメインビーム１０Ａのうち、ホログラム領域ＡＢに入射した光束部分は、図５（ｂ）に示す受光部９ａと９ｂとの境界部に集光する。戻り光束を構成する３ビームのうち残りの２本（サブビーム（±１次光）、図示されず）は、ホログラム領域ＡＢで回折されると「受光部９ａと９ｇの間および受光部９ｂと９ｆの間に集光する」ようになっており、従って、これらは受光手段９において受光信号を発生させない。
【００３７】
受光領域Ｃに入射するメインビーム部分は回折されると受光部９ｃに集光し、受光領域Ｃに入射するサブビーム部分は受光部９ｅと９ｇに集光する。受光領域Ｄに入射するメインビームは回折されると受光部９ｄに集光し、受光部Ｄに入射する２本のサブビームは回折されるとそれぞれ、受光部９ｆと９ｈに集光する。
【００３８】
これら受光部９ａ〜９ｈにおいて生じる受光信号をそれぞれａ〜ｈとすると、各種の信号は以下のように生成される。
【００３９】
フォーカスエラー信号：ＦＥＳ＝ａ−ｂ  
トラックエラー信号：ＴＥＳ＝（ｃ−ｄ）−α｛（ｅ＋ｇ）−（ｆ＋ｈ）｝
トラッククロス信号：ＴＣＳ＝（ｃ＋ｄ）−α｛（ｅ＋ｇ）＋（ｆ＋ｈ）｝
レンズポジション信号：ＬＰＳ＝（ｃ−ｄ）＋α｛（ｅ＋ｇ）−（ｆ＋ｈ）｝
情報再生信号：ＲＦＳ＝ａ＋ｂ＋ｃ＋ｄ                        。
【００４０】
上記の如くして、所望の情報記録層８ａからの戻り光束を「情報記録層８ｂの反射によるノイズ光を有効にカットした状態」で受光手段９に導光でき、フォーカシング・トラッキング各制御とも良好に行いつつ情報の記録あるいは再生または消去を良好に行うことができる。
【００４１】
図１に示した光ピックアップ装置は、情報記録層８ａ、8ｂを多層状に有する多層記録媒体８に対して、情報の記録・再生・消去の１以上を行う光ピックアップ装置において、光源１と、光源１からの光束を所定の集光位置に集光させる集光レンズ１２と、ピンホール１３Ａを形成され、ピンホールを上記集光位置の近傍に位置させて配置される遮光手段１３と、ピンホール１３Ａを通過した光束を、対物レンズ７により多層記録媒体の所望の情報記録層に集光せしめる集光光学系６、７と、所望の情報記録層により反射された戻り光束を受光する受光手段９と、集光光学系６、７を通過し、ピンホール１３Ｂの近傍に集光してピンホールを通過した戻り光束を、受光手段９に向けて回折させる回折手段４とを有し、回折手段４が、光源１からピンホール１３Ａに至る光路上に配置されている（請求項１）。
【００４２】
図１の実施の形態において、光源１である半導体レーザと、グレーティング３と、回折手段であるホログラム４と集光レンズ１２とはケーシング１４内に収納されてケーシング１４により一体化されている。そしてケーシング１４の頂部が遮光手段１３を構成し、その一部にピンホール１３Ａが形成されている。
【００４３】
即ち、光源１と、集光レンズ１２と回折手段４と遮光手段１３と受光手段９とは一体化され（請求項６）、かつ、これらはケーシング１４により「１パッケージ」として一体化されている（請求項７）。なお、この形態では、光源１等とともにグレーティング３も１パッケージ内に一体化されている。勿論、ケーシング１４の遮光手段１３をなす部分は遮光性である。パッケージ１４により一体化された部分は、「光源側ユニット（請求項８、９）」を構成する。
【００４４】
図２は、実施の別形態を図１に倣って示している。繁雑を避けるべく、混同の恐れがないと思われるものについては、図１におけると同一の符号を付した。  
この実施の形態が、図１の形態と異なるのは、この実施の形態においては、回折手段としてのホログラム４Ａが、光源１と集光レンズ１２との間の光路上に配置されており（請求項２）、集光レンズ１２の光源側のレンズ面に一体的に形成されている（請求項４）ことである。
【００４５】
光源１と集光レンズ１２と回折手段４Ａと遮光手段１３と受光手段９とは互いに一体化され（請求項６）、かつ、これらはケーシング１５により「１パッケージ」として一体化されている（請求項７）。この形態でも、光源１等とともにグレーティング３も１パッケージ内に一体化されている。ケーシング１５の「遮光手段１３をなす部分」は勿論遮光性である。パッケージ１５により一体化された部分は「光源側ユニット（請求項８、９）」を構成する。
【００４６】
図２の実施の形態では、回折手段としてのホログラム４Ａが集光レンズ１２のレンズ面に形成されているので、図１の実施の形態に比して光源側ユニットが小型化されている。
【００４７】
図３は、実施の他の形態を図１に倣って示している。繁雑を避けるべく、混同の恐れがないと思われるものについては、図１におけると同一の符号を付した。  
この実施の形態では、回折手段としてのホログラム４Ｂが、集光レンズ１２Ａと遮光手段１３との間の光路上に配置され（請求項３）、集光レンズ１２Ａの遮光手段１３側のレンズ面に一体的に形成され（請求項４）ている。また、グレーティング３Ａが集光レンズ１２Ａの光源側面に一体的に形成されている。
【００４８】
光源１と集光レンズ１２Ａと回折手段４Ｂと遮光手段１３と受光手段９とは一体化され（請求項６）、かつ、これらはケーシング１６により「１パッケージ」として一体化されている（請求項７）。この形態でも、光源１等と共にグレーティング３も１パッケージ内に一体化されている。ケーシング１６の遮光手段１３をなす部分は勿論遮光性である。
【００４９】
パッケージ１６により一体化された部分は「光源側ユニット（請求項８、９）」を構成する。図３の実施の形態では、回折手段としてのホログラム４Ｂとグレーティング３Ａとが集光レンズ１２Ａのレンズ面に形成されているので、図２の実施の形態に比して光源側ユニットがより小型化されている。しかし、「光源からの照射光の光路」と「戻り光束の光路」とが集光レンズ１２Ａの部分で分離されるので、この分離を確保するため集光レンズ１２Ａは肉厚になっている。
【００５０】
図４は実施の更に他の形態を示している。
【００５１】
繁雑を避けるため、混同の虞がないと思われるものについては、図３におけると同一の符号を用いた。ケーシング１６の内部は、図３の実施の形態におけるものと同じである。この例では、ケーシング１６の頂部の遮光部１３に穿設された孔の部分が感光性フィルム１８で密封されている。感光性フィルム１８は「ある閾値以上の強度の光照射により透明化する感光特性」を有するものである。光源１を発光させると、光束が集光レンズ１２Ａにより感光性フィルム１８上に集光し、感光性フィルム１８をピンホール１３Ａとして透明化する。感光性フィルムの感光材料としては、例えば、ＣＤ−Ｒ等で用いられているジアゾ系感光材料等を用いることができる。
【００５２】
なお、上に説明した実施の各形態ではグレーティング３等により、光源１からの光束を３ビームに分割しているが、これはトラッキング制御を周知の「３ビーム法」により行うためである。例えば、フォーカシング制御・トラッキング制御を非点収差法とプッシュプル法で行う場合であればグレーティングは不要であり、従って、グレーティングはこの発明の光ピックアップ装置に必須の構成要件ではない。
【００５３】
また、図２〜図４に実施の形態を示した光ピックアップ装置の動作は、図１に示したものと略同様であり、詳細な説明は省略する。
【００５４】
以下、記録媒体ドライブ装置の実施の１形態を説明する。  
以下に説明する例では、多層記録媒体は光ディスクの形態を取る。具体的には、ＤＶＤ、ＤＶＤ−ＲＡＭ・ＷＯ、ＤＶＤ−Ｒ、ＤＶＤ＋ＲとＤＶＤ−ＲＡＭ、ＤＶＤ−ＲＷ、ＤＶＤ＋ＲＷ等であることができる。
【００５５】
図６は、記録媒体ドライブ装置である光ディスクドライブ装置を、説明図的にブロック図として示している。  
図６において、符号１００は「多層記録媒体である光ディスク」、符号１０２はスピンドルモータ１０２、符号１０３は光ピックアップ装置、符号１０４はモータドライバ、符号１０５はリードアンプ、符号１０６はサーボ手段、符号１０７はＤＶＤデコーダ、符号１０８はＡＤＩＰデコーダ、符号１０９はレーザコントローラ、符号１１０はＤＶＤエンコーダ、符号１１１はＤＶＤ−ＲＯＭエンコーダ、符号１１２はバッファＲＡＭ、符号１１３はバッファマネージャ、符号１１４はＤＶＤ−ＲＯＭデコーダ、符号１１５はＡＴＡＰＩ／ＳＣＳＩインターフェース、符号１１６はＤ／Ａコンバータ、符号１１７はＲＯＭ、符号１１８はＣＰＵ、符号１１９はＲＡＭ、符号ＬＢはレーザ光を示す。また「Ａｕｄｉｏ」とあるのはオーディオ出力信号を示す。
【００５６】
図５において、矢印は「データが主に流れる方向」を示し、図を簡略化するため、各ブロックを制御するＣＰＵ１１８と各ブロックとの接続を単一の矢印で示している。ＲＯＭ１１７には「ＣＰＵ１１８で解読可能なコードで記述された制御プログラム」が格納されている。
【００５７】
光ディスクドライブ装置の電源がオンになると、上記制御プログラムは図示されないメインメモリにロードされ、ＣＰＵ１１８はそのプログラムに従い、上述の各部の動作を制御するとともに、制御に必要なデータ等を一時的にＲＡＭ１１９に保存する。
【００５８】
光ディスクドライブ装置の構成と動作は次の通りである。
【００５９】
光ディスク１００はスピンドルモータ１０２により回転駆動される。スピンドルモータ１０２は、モータドライバ１０４とサーボ手段１０６により、線速度または角速度が一定になるように制御される。これら線速度や角速度は階段的に変更可能である。
【００６０】
光ピックアップ装置１０３は、図１〜図５に即して説明した如きものであり、図１〜図４に図示されていないフォーカスアクチュエータ、トラックアクチュエータおよびポジションセンサを内蔵し、レーザ光ＬＢを光ディスク１００に照射する。  
光ピックアップ装置１０３はまた、シークモータにより「スレッジ方向」へ移動可能である。これらフォーカスアクチュエータ、トラックアクチュエータ、シークモータは、前述の受光手段９とポジションセンサから得られる信号に基き、モータドライバ１０４とサーボ手段１０６により、レーザ光ＬＢのスポットが光ディスク１００上における所望の位置（所望の情報記録層における所望のトラック）に位置するように制御される。
【００６１】
なお、複数の情報記録層のうちの「所望の情報記録層」へのアクセスは、光ピックアップ装置１０３の対物レンズを光軸方向へ変位させつつ、戻り光束による合焦状態をカウントすることにより行う。
【００６２】
リード時には、光ピックアップ装置１０３によって得られた再生信号が、リードアンプ１０５で増幅され、２値化された後、ＤＶＤデコーダ１０７に入力される。入力された２値化データはＤＶＤデコーダ１０７において「８／１６復調」される。記録データは８ビットずつまとめられて変調（８／１６変調）されており、この変調では８ビットを１６ビットに変換している。この場合、結合ビットは、それまでの「１」と「０」の数が平均的に等しくなるように付けられる。これを「ＤＣ成分の抑制」といい、ＤＣカットされた再生信号のスライスレベル変動が抑圧される。
【００６３】
復調されたデータは「デインタリーブとエラー訂正」の処理を受けた後、ＤＶＤ−ＲＯＭデコーダ１１４に入力され、データの信頼性を高めるためさらに「エラー訂正の処理」を受ける。このように「２回のエラー訂正処理」を受けたデータは、バッファマネージャ１１３によって一旦バッファＲＡＭ１１２に蓄えられ、セクタデータとして揃った状態で、ＡＴＡＰＩ／ＳＣＳＩインターフェース１１５を介して、図示されないホストコンピュータへ一気に転送される。音楽データの場合には、ＤＶＤデコーダ１０７から出力されたデータがＤ／Ａコンバータ１１６へ入力され、アナログのオーディオ出力信号：Ａｕｄｉｏとして取り出される。
【００６４】
ライト時には、ＡＴＡＰＩ／ＳＣＳＩインターフェース１１５を通して、ホストコンピュータから送られてきたデータが、バッファマネージャ１１３によって一旦バッファＲＡＭ１１２に蓄えられる。その後「ライト動作」が開始されるが、この場合には、その前にレーザスポットを書き込み開始地点に位置させる必要がある。
【００６５】
この地点は、ＤＶＤ＋ＲＷ／＋Ｒでは、予め光ディスク１００の各情報記録層に「トラックの蛇行により刻まれているウォブル信号」によって求められる。なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
【００６６】
ＤＶＤ＋ＲＷ／＋Ｒディスクにおけるウォブル信号には、ＡＤＩＰ（Adress In Pre-groove）と呼ばれるアドレス情報が含まれ、この情報がＡＤＩＰデコーダ１０８により取り出される。ＡＤＩＰデコーダ１０８で生成される同期信号はＤＶＤエンコーダ１１０へ入力され、光ディスク１００上の正確な位置へのデータの書き込みを可能にしている。バッファＲＡＭ１１２のデータは、ＤＶＤ−ＲＯＭエンコーダ１１１やＤＶＤエンコーダ１１０において、エラー訂正コードの付加やインターリーブが行われ、レーザコントローラ１０９、光ピックアップ装置１０３を介して光ディスク５１に記録される。
【００６７】
また、ランドプリピットやプリピットからアドレス情報を得る構成であっても良い。
【００６８】
図７は光ディスクドライブ装置を使用した情報処理装置の概略図である。情報処理装置は、制御装置２０２、インターフェース２０４、記録装置２０５、入力装置２０１、表示装置２０３、光ディスクドライブ装置２０６等を備えている。光ディスクドライブ装置２０６は図６に即して説明したものである。制御装置２０２は、ＣＰＵ、マイクロコンピュータ、メインメモリ等を含んで構成され情報処理装置の全体を制御する。
【００６９】
インターフェース２０４は、光ディスクドライブ装置２０６との双方向の通信インターフェースであり、ＡＴＡＰＩおよびＳＣＳＩ等の標準インターフェースに準拠している。インターフェース２０４は、図６に示す光ディスクドライブ装置のインターフェース１１５と接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。
【００７０】
ハードディスクドライブ（ＨＤＤ）等の記録装置２０５には「制御装置２０２のマイクロコンピュータで解読可能なコード」で記述されたプログラムが格納されている。図７の「情報処理装置」の駆動電源がオン状態になると前記プログラムは制御装置２０２のメインメモリにロードされる。
【００７１】
表示装置２０３は、例えばＣＲＴ、液晶ディスプレイ（ＬＣＤ）やプラズマディスプレイパネル（ＰＤＰ）等の表示部を備え、制御装置２０２からの各種情報を表示する。  
入力装置２０１は、キーボード、マウスおよびポインティングデバイスなどのうち少なくとも１つの入力媒体を備え、ユーザから入力された各種情報を制御装置２０２に伝達する。入力媒体からの情報はワイヤレス方式で入力しても良い。表示装置２０３と入力装置２０１とが一体化したものとして、例えばタッチパネル付きＣＲＴなどがある。
【００７２】
情報処理装置はオペレーティングシステム（ＯＳ）を搭載し、情報処理装置を構成する全てのデバイスはＯＳによって管理されている。
【００７３】
なお、この発明は上に説明した実施の各形態に限定されるものではないことは言うまでもない。
【図面の簡単な説明】
【００７４】
【図１】光ピックアップ装置の実施の１形態を説明図的に示す図である。
【図２】光ピックアップ装置の実施の別形態を説明図的に示す図である。
【図３】光ピックアップ装置の実施の他の形態を説明図的に示す図である。
【図４】光ピックアップ装置の実施の更に他の形態を説明図的に示す図である。
【図５】回折手段による戻り光束の回折と受光手段における受光部の状態を説明するための図である。
【図６】光ディスクドライブ装置の説明するためのブロック図である。
【図７】光ディスクドライブ装置を持つ情報処理装置を説明するための図である。
【符号の説明】
【００７５】
１      光源
４      回折手段
６、７  集光光学系
８      多層記録媒体
８ａ、８ｂ  情報記録層
９      受光手段
１２    集光レンズ
１３    遮光手段
１３Ａ  ピンホール
【図１】
2006073132.tif 000003
【図２】
2006073132.tif 000004
【図３】
2006073132.tif 000005
【図４】
2006073132.tif 000006
【図５】
2006073132.tif 000007
【図６】
2006073132.tif 000008
【図７】
2006073132.tif 000009